(57)【要約】【課題】マルチバンド画像撮像装置において、色再現精度の低下を抑えつつ撮像画像の容量を削減する。【解決手段】マルチバンド画像撮像装置１は、撮像前に、照明検出センサ１１により照明光スペクトルを検出し、バンド選択部７は、この照明光スペクトルに基づいて、撮像素子３の撮像するマルチバンド画像のバンドから複数のバンドを選択する。撮像時には、撮像素子３で撮像されたマルチバンド画像の中から、上記選択された複数のバンドの画像がマルチバンド画像記録部８に格納され、その後画像再生部９でカラー画像に色変換されて表示素子１０に表示される。これによって、選択された複数のバンドが、撮像素子３により取得されるマルチバンド画像のバンド数よりも少ない場合は、撮像画像の容量が削減される。【選択図】図１
2010276442.tif 000002
【特許請求の範囲】
【請求項１】
被写体を撮像してマルチバンド画像を取得する撮像手段を備えるマルチバンド画像撮像装置において、
照明光スペクトルを検出する照明検出手段と、
前記検出された照明光スペクトルに基づいて、前記撮像手段により取得された前記マルチバンド画像から複数のバンドの画像を選択するバンド選択手段と、
を備えることを特徴とするマルチバンド画像撮像装置。
【請求項２】
前記バンド選択手段により選択された複数のバンドに応じて、色変換プロファイルを算出する色変換プロファイル算出手段と、
前記算出された色変換プロファイルを用いて前記撮像したマルチバンド画像を変換する色変換手段と、
を備えることを特徴とする、請求項１に記載のマルチバンド画像撮像装置。
【請求項３】
前記照明光検出手段は、照明光スペクトルを測定するセンサであることを特徴とする請求項１または２に記載のマルチバンド画像撮像装置。
【請求項４】
前記バンド選択手段は、前記撮像手段の分光感度特性に基づいて設定された複数の削除対象のバンドの中から予め設定された判定対象のバンドに対して、当該判定対象のバンドの照明光スペクトルの信号値と閾値とを比較して削除対象であるか否かを判定し、削除対象であると判定した場合は、当該判定対象のバンドの画像とともに他の前記削除対象のバンドの画像を、前記撮像手段により取得されたマルチバンド画像から除いた複数のバンドの画像を選択することを特徴とする請求項１−３のいずれか一項に記載のマルチバンド画像撮像装置。
【請求項５】
前記照明検出手段は、前記撮像手段から得られたマルチバンド画像に基づいて、照明光スペクトルを推定する照明推定手段を備えることを特徴とする請求項１または２に記載のマルチバンド画像撮像装置。
【請求項６】
被写体を撮像してマルチバンド画像を取得する撮像手段を備えるマルチバンド画像撮像装置において、
前記撮像手段により取得されたマルチバンド画像に基づいて、複数のバンドの画像を選択するバンド選択手段を備えることを特徴とするマルチバンド画像撮像装置。
【請求項７】
前記バンド選択手段は、前記撮像手段の分光感度特性に基づいて設定された複数の削除対象のバンドの中から予め設定された判定対象のバンドに対して、前記撮像手段により取得された当該判定対象のバンドの画像の信号値と閾値とを比較して削除対象であるか否かを判定し、削除対象であると判定した場合は、当該判定対象のバンドの画像とともに他の前記削除対象のバンドの画像を、前記撮像手段により取得されたマルチバンド画像から除いた複数のバンドの画像を選択することを特徴とする請求項６に記載のマルチバンド画像撮像装置。
【発明の詳細な説明】
【技術分野】
【０００１】
本発明は、被写体のマルチバンド画像を撮像するマルチバンド画像撮像装置およびマルチバンド画像撮像方法に関する。
【背景技術】
【０００２】
画像撮像装置において、色再現性を向上させるために、４種類以上の多数種類の色フィルタを用いたり、異なる分光特性を有する複数の光路を用いたりする等の方法により、波長帯域を分割する種類を増やしてマルチバンド化する撮像方法や、当該撮像方法を用いた装置が知られている（例えば、特許文献１、特許文献２および特許文献３参照）。
【０００３】
しかし、マルチバンド化によりバンド数を増やすと、色再現性を向上しリアリティを高めることが可能となる一方で、撮像したマルチバンド画像データの保存や、そのデータの送受信のために、必要となる記憶装置や回線の容量が増加する。このことは、撮像画像の高精細化のために特に顕著である。このため、複数画素のＲＧＢ値から輝度値の平均を求めて、輝度値が所定の閾値を上回らない場合は、マルチバンド画像のバンド数を、例えば６バンドから３バンドに減らして出力することができる装置および方法が知られている（例えば、特許文献４参照）。
【先行技術文献】
【特許文献】
【０００４】
【特許文献１】特開２００２−２９６１１４号公報
【特許文献２】特開２００５−２６０４８０号公報
【特許文献３】特開２００７−２７８９５０号公報
【特許文献４】特開２００９−００５００８号広報
【発明の概要】
【発明が解決しようとする課題】
【０００５】
しかしながら、引用文献４に記載の装置および方法では、多バンド画像データを評価し、その評価結果に応じて、出力する画像データを多くのバンドを含むマルチバンドとするか、予め定めたバンドの組み合わせによるバンド数を少なくしたバンド数減少画像データとするかを判定しているので、バンドごとの信号レベルは評価されていない。一方で、照明特性によってバンド間で信号レベルの差が大きくなる場合があり、このようなときに信号が低いバンドではノイズレベルが高くなり、色変換したときに色再現精度の低下の要因となる。したがって、引用文献４に記載の装置および方法では、バンド数を減少させた場合に色再現精度も低下する場合があることが懸念される。
【０００６】
したがって、これらの点に着目してなされた本発明の目的は、色再現精度の低下を抑えつつ撮像画像の容量を削減することができるマルチバンド画像撮像装置を提供することにある。
【課題を解決するための手段】
【０００７】
上記目的を達成する請求項１に係るマルチバンド画像撮像装置の発明は、
被写体を撮像してマルチバンド画像を取得する撮像手段を備えるマルチバンド画像撮像装置において、
照明光スペクトルを検出する照明検出手段と、
前記検出された照明光スペクトルに基づいて、前記撮像手段により取得された前記マルチバンド画像から複数のバンドの画像を選択するバンド選択手段と、
を備えることを特徴とするものである。
【０００８】
請求項２に係る発明は、請求項１に記載のマルチバンド画像撮像装置において、
前記バンド選択手段により選択された複数のバンドに応じて、色変換プロファイルを算出する色変換プロファイル算出手段と、
前記算出された色変換プロファイルを用いて前記撮像したマルチバンド画像を変換する色変換手段と、
を備えることを特徴とするものである。
【０００９】
請求項３に係る発明は、請求項１または２に記載のマルチバンド画像撮像装置において、
前記照明光検出手段は、照明光スペクトルを測定するセンサであることを特徴とするものである。
【００１０】
請求項４に係る発明は、請求項１−３のいずれか一項に記載のマルチバンド画像撮像装置において、
前記バンド選択手段は、前記撮像手段の分光感度特性に基づいて設定された複数の削除対象のバンドの中から予め設定された判定対象のバンドに対して、当該判定対象のバンドの照明光スペクトルの信号値と閾値とを比較して削除対象であるか否かを判定し、削除対象であると判定した場合は、当該判定対象のバンドの画像とともに他の前記削除対象のバンドの画像を、前記撮像手段により取得されたマルチバンド画像から除いた複数のバンドの画像を選択することを特徴とするものである。
【００１１】
請求項５に係る発明は、請求項１または２に記載のマルチバンド画像撮像装置において、
前記照明検出手段は、前記撮像手段から得られたマルチバンド画像に基づいて、照明光スペクトルを推定する照明推定手段を備えることを特徴とするものである。
【００１２】
上記目的を達成する請求項６に係るマルチバンド画像撮像装置の発明は、
被写体を撮像してマルチバンド画像を取得する撮像手段を備えるマルチバンド画像撮像装置において、
前記撮像手段により取得されたマルチバンド画像に基づいて、複数のバンドの画像を選択するバンド選択手段を備えることを特徴とするものである。
【００１３】
請求項７に係る発明は、請求項６に記載のマルチバンド画像撮像装置において、
前記バンド選択手段は、前記撮像手段の分光感度特性に基づいて設定された複数の削除対象のバンドの中から予め設定された判定対象のバンドに対して、前記撮像手段により取得された当該判定対象のバンドの画像の信号値と閾値とを比較して削除対象であるか否かを判定し、削除対象であると判定した場合は、当該判定対象のバンドの画像とともに他の前記削除対象のバンドの画像を、前記撮像手段により取得されたマルチバンド画像から除いた複数のバンドの画像を選択することを特徴とするものである。
【発明の効果】
【００１４】
本発明によれば、検出された照明光スペクトルに基づいて、バンド選択手段が使用する複数のバンドの画像を選択するようにしたので、色再現精度の低下を抑えつつ撮像画像の容量を削減することができる。
【図面の簡単な説明】
【００１５】
【図１】本発明の第１実施の形態に係るマルチバンド画像撮像装置の概略構成を示すブロック図である。
【図２】第１実施の形態のバンド選択部のバンド選択処理を示すフローチャートである。
【図３】白熱灯による照明光の分光特性を示す図である。
【図４】マルチバンド画像撮像装置のスペクトル感度を示す図である。
【図５】本発明の第２実施の形態に係るマルチバンド画像撮像装置の概略構成を示すブロック図である。
【図６】本発明の第３実施の形態に係るマルチバンド画像撮像装置の概略構成を示すブロック図である。
【図７】本発明の第４実施の形態に係るマルチバンド画像撮像装置の概略構成を示すブロック図である。
【図８】本発明の第４実施の形態に係るマルチバンド画像撮像装置のバンド選択部のバンド選択処理を示すフローチャートである。
【図９】本発明の第５実施の形態に係るマルチバンド画像撮像装置のバンド選択部のバンド選択処理を示すフローチャートである。
【図１０】本発明の第６実施の形態に係るマルチバンド画像撮像装置のバンド選択部のバンド選択処理を示すフローチャートである。
【図１１】本発明の第７実施の形態に係るマルチバンド画像撮像装置の背面図である。
【図１２】本発明の第７実施の形態に係るマルチバンド画像撮像装置を用いた撮像フローを示す図である。
【発明を実施するための形態】
【００１６】
以下、本発明の実施の形態について、図を参照して説明する。
【００１７】
（第１実施の形態）
図１は、本発明の第１実施の形態に係るマルチバンド画像撮像装置の概略構成を示すブロック図である。このマルチバンド画像撮像装置１は、撮影レンズ２、撮像素子３、レリーズボタン４、撮像制御部５、フレームメモリ６、バンド選択部７、マルチバンド画像記録部８、画像再生部９、表示素子１０、照明検出センサ１１を含んで構成されている。
【００１８】
撮影レンズ２は、入射光を撮像素子３に結像させるレンズである。撮像素子３は、被写体からの光を電気信号に変換する素子であり、例えばＣＣＤやＣＭＯＳを含んで構成され、露光面の前面には、Ｎバンド（Ｎは例えば１６）の狭帯域フィルタを有する図示しないマルチバンドのモザイクフィルタが装着される。これによって、撮像素子３はマルチバンド画像を撮像することができる。ここで、撮像手段は、撮影レンズ２および撮像素子３を含んで構成される。
【００１９】
撮像制御部５は、使用者によるレリーズボタン４の操作により、撮像素子３および照明検出センサ１１を制御する。すなわち、使用者によりレリーズボタン４が半押しされると、撮像制御部５は、ＡＥ（自動露光）動作を駆動するとともに、検出センサ１１を制御して照明光スペクトルを測定させる。また、レリーズボタン４が押下されると、撮像制御部５は、撮像素子３を制御してマルチバンド画像データをフレームメモリ６に書き込ませる。フレームメモリ６は、撮像素子３の１フレーム分の画像データを格納することができる。
【００２０】
照明検出センサ１１は、撮像素子３の撮像バンドに対応するバンドごとの照明光のスペクトルデータを測定するセンサであり、照明検出手段を構成する。この照明検出センサ１１は、マルチバンド画像撮像装置１の本体の前面に配置されており、被写体側からのバンドごとの照明光スペクトル強度を検出して照明光スペクトルデータとして、バンド選択部７に出力する。
【００２１】
バンド選択部７はバンド選択手段を構成し、照明検出センサ１１で測定した照明光スペクトルデータからバンドごとの照明光信号値を算出しそれに応じて画像データを使用するバンドを選択する。さらに、バンド選択部７は、フレームメモリ６で一時的に格納されたマルチバンド画像データを受け取り、上記選択したバンドの画像データを、マルチバンド画像記録部８に出力する。
【００２２】
マルチバンド画像記録部８はマルチバンド画像記録手段を構成し、バンド選択部７で選択されたバンドの画像データを記録するように構成される。また、画像再生部９は、マルチバンド画像記録部８からマルチバンド画像データを受け取り、この画像データを所望の色空間（例えば、ＲＧＢ）に色変換して再生するように構成される。表示素子１０は、マルチバンド画像撮像装置１の背面側に設けられた液晶ディスプレイであり、画像再生部９で再生された画像データを受け取り、ディスプレイ上に表示する。なお、表示素子１０は、有機ＥＬディスプレイやその他の表示素子としても良い。
【００２３】
以上のような構成によって、マルチバンド画像撮像装置１は、撮像時に、まず、使用者によりレリーズボタン４が半押しされると、撮像制御部５の制御により、センサ１１が照明光スペクトルを検出し、これを用いてバンド選択部７が画像データを記録するバンドを選択する。
【００２４】
図２は、バンド選択部７によるバンド選択の処理を示すフローチャートである。この図に示すように、バンド選択部７では、照明検出センサ１１からの照明光スペクトルデータの入力を受けるとともに（ステップＳ１０１）、図視しない記憶部に格納されたカメラ感度を読み出し（ステップＳ１０２）、照明光スペクトルデータを、バンドごとのカメラ感度のデータを用いて補正して照明光信号値ｇｋ（ｋ＝１，．．．，Ｎ）を算出する（ステップＳ１０３）。次に、算出された照明光信号値ｇｋの最大値をｇｍａｘとし（ステップＳ１０４）、1番目のバンドの照明光信号値の相対値ｇ’ｋ（ｋ＝１）をｇｋ（ｋ＝１）のｇｍａｘに対する比として算出する（ステップＳ１０６）。このｇ’ｋ（ｋ＝１）が所定の閾値（例えば、０．１）よりも小さければ（ステップＳ１０７）、当該ｋ番目のバンドの画像は除外され、小さくない場合は選択される（ステップＳ１０８）。同様に、順次各バンドについて同様な判定を繰り返し（ステップＳ１０６〜Ｓ１１０）、全てのバンドの画像について選択するか否かの判定が終了すると（ステップＳ１０９）、バンド選択部７は、選択されたバンドを記憶する（ステップＳ１１１）。
【００２５】
次に、使用者によりレリーズボタン４が押下されると、制御手段５の制御により、撮像素子３が、露光面に結像するマルチバンドの画像データをフレームメモリ６に取り込んだ後、バンド選択部７に出力する。バンド選択部は、上記のステップＳ１１１で記憶した選択されたバンドの画像データをマルチバンド画像記録部８に出力し、マルチバンド画像記録部８がこの画像データを記録する。その後、マルチバンド画像記録部８に格納された画像データは画像再生部９で色変換処理され表示素子１０でカラー画像として表示される。
【００２６】
例えば、図３に示すような分光特性を有する白熱灯の下で撮像を行い、且つ、マルチバンド画像撮像装置１のスペクトル感度が図４である場合、短波長のバンド１および２付近の信号レベルがバンドＮに比べると極端に低く、Ｓ／Ｎが悪いことが予測できる。そこで、本発明では、これら短波長のバンド１および２以外のバンドの画像を選択してマルチバンド画像とし、Ｓ／Ｎの悪いバンドの画像データを使用しないことで、マルチバンド画像記録部８に記録されるデータ容量を削減する。また、この場合、使用しないバンドの画像データはＳ／Ｎ比が悪く色変換したときの画質の劣化につながるため、変換後の画質の劣化を抑えることもできる。
【００２７】
以上説明したように、本実施の形態によれば、検出された照明光スペクトルに基づいて、バンド選択部が、照明信号値の相対値が小さくＳ／Ｎの悪いバンドの画像を除外して、その他の複数のバンドの画像を選択するようにしたので、色再現精度の低下を抑えつつ撮像画像の容量を削減することができる。
【００２８】
（第２実施の形態）
図５は、本発明の第２実施の形態に係るマルチバンド画像撮像装置の概略構成を示すブロック図である。本実施の形態は、第１実施の形態に係るマルチバンド画像撮像装置において、バンド選択部７とマルチバンド画像記録部８との間に、選択したバンドの画像を伝達する経路に並行して、色変換プロファイル算出部２１と色変換部２２とを設けたものである。
【００２９】
色変換プロファイル算出部２１は、色変換プロファイル算出手段を構成し、バンド選択部７におけるバンド選択に応じて色変換プロファイルを計算し、また、色変換部２２は、色変換手段を構成し、計算された色変換プロファイルを用いて、バンド選択部７で除外されたバンドを除くマルチバンド画像を所望の色空間に色変換を行うものである。マルチバンド画像記録部８では、バンド選択部７から出力されたマルチバンド画像と、色変換部２２で色変換されたカラー画像の両方を記録することができる。
【００３０】
その他の構成および作用は、第１実施の形態と同様であるので、同一構成要素には同一参照符号を付して説明を省略する。
【００３１】
以上のように、本実施の形態によれば、画質の劣化につながるバンドを削除したマルチバンド画像に対応する色変換プロファイルを作成し、色変換することで、もとのマルチバンド画像から変換するよりも画質の劣化を抑えたカラー画像を生成して記録することができる。
【００３２】
（第３実施の形態）
図６は、本発明の第３実施の形態に係るマルチバンド画像撮像装置の概略構成を示すブロック図である。本実施の形態は、第１実施の形態に係るマルチバンド画像撮像装置において、照明検出センサ１１を設けず、フレームメモリ６とバンド選択部７との間に、フレームメモリ６からバンド選択部７への直接のマルチバンド画像の出力経路と並列に、照明光推定部３１を設けたものである。照明光推定部３１は、フレームメモリ６から出力される撮像素子３により撮像されたマルチバンド画像データに基づいて照明光スペクトルデータを推定してバンド選択部７に出力する。バンド選択部７は、推定された照明光スペクトルデータに基づいて、第１実施の形態と同様にバンドの選択を行う。
【００３３】
ここで、照明光推定部では、簡易的な推定として、一般的なデジタルカメラで行われるオートホワイトバランスに類する処理で推定を行う。すなわち、白色の信号値に対して、マルチバンド画像のバンドに対応するバンド間で信号値の比をとり、事前に計算しておいたバンド間の信号値の比率と照明種別とのテーブルを参照して、照明種別を判定し、その照明に対応するスペクトルを出力する。その他の構成および作用は、第１実施の形態と同様であるので、同一構成要素には同一参照符号を付して説明を省略する。
【００３４】
以上のように、本実施の形態によれば、照明光推定部を設けて照明光スペクトルを推定するようにしたので、照明検出センサを使用しなくとも第１実施の形態と同様の効果を得ることができる。
【００３５】
（第４実施の形態）
図７は、本発明の第４実施の形態に係るマルチバンド画像撮像装置の概略構成を示すブロック図である。本実施の形態は、図６で示した第３実施の形態から照明光推定部３１を除いたものであり、撮像素子３によって取得されるマルチバンド画像に基づいて、複数のバンドの画像の選択を行うものである。
【００３６】
図８は、本実施の形態に係るバンド選択部７のバンド選択処理のフローチャートを示している。バンド選択部７には、ＡＥ動作に、フレームメモリ６を介して撮像素子により取得されたマルチバンド撮像画像が入力される（ステップＳ２０１）。バンド選択部７は、バンドごとの平均信号値、例えば、単位面積当たりの画素値を算出する（ステップＳ２０２）。次に、第１のバンドについて（ステップＳ２０３）、この平均信号値を予め定めた所定の閾値と比較し（ステップＳ２０４）、当該閾値よりも小さければこのバンドを除外し、小さくなければ選択する（ステップＳ２０５）。同様に、順次各バンドについて同様の処理を行い（ステップＳ２０４〜Ｓ２０７）、全てのバンドについての処理が終了すると（ステップＳ２０６）、選択されたバンドのみを記憶する（ステップＳ２０８）。
【００３７】
その後、レリーズ操作時には、バンド選択部７はフレームメモリ６より入力されたマルチバンド画像のうち、ステップＳ２０８で記憶された選択されたバンドの画像のみを、マルチバンド画像記録部８に出力する。その他の構成および作用は、第３実施の形態と同様であるので、同一構成要素には同一参照符号を付して説明を省略する。
【００３８】
以上の説明したように、本実施の形態では、照明検出センサや照明推定部を設けることなく、分光特性に偏りのある被写体が画面の大部分を占める場合に、Ｓ／Ｎの悪くなるバンドを排除することができ、被写体の色再現精度の低下を抑えられる。
【００３９】
（第５実施の形態）
本発明の第５実施の形態に係るマルチバンド画像撮像装置は、第４実施の形態におけるマルチバンド画像撮像装置のバンド選択部７によるバンドの選択の方法を変更したものである。本実施の形態では、予め複数の削除候補のバンドが定められており、さらに、それら削除候補のバンドの中から判定対象のバンドが定められている。削除候補のバンドは、カメラの分光感度特性からＳ／Ｎが悪くなる可能性が高いバンドであり、判定対象のバンドの画像のＳ／Ｎが悪い場合他の削除候補のバンドの画像のＳ／Ｎも悪くなる可能性が高いので、削除候補以外のバンドが選択される。
【００４０】
このため、本実施の形態では、バンド選択部７は、図８のフローチャートに代えて、図９のフローチャートに基づいてバンドの選択を判定する。まず、バンド選択部７には、フレームメモリ６を介して撮像素子により取得されたマルチバンド撮像画像が入力される（ステップＳ３０１）。次に、バンド選択部７は、バンドごとの平均信号値、すなわち、単位面積当たりの画素値を算出する（ステップＳ３０２）。その後、図示しない記憶部から、削除対象および判定対象のバンドの識別子を含む削除候補判定用のデータが読み出される（ステップＳ３０３）。ここでは、例えば、削除対象のバンドは、ｋ１，ｋ２であり、これらのうち、判定対象のバンドはｋ１とする。
【００４１】
バンド選択部７では、バンドｋ１を判定対象として（ステップＳ３０４）、バンドｋ１の平均信号値ｇｋ１が予め定めた閾値より小さい場合（ステップＳ３０５）、判定対象のバンドｋ１に加え削除候補のバンドｋ２を選択するバンドから除外し（ステップＳ３０６）、残りのバンドを選択されたバンドの画像として記憶する（ステップＳ３０７）。バンドｋ１の平均信号値ｇｋ１が閾値よりも小さくない場合は、いずれのバンドｋ１およびｋ２の画像も削除されることなく選択される。その他の構成および作用は、第３実施の形態と同様であるので、同一構成要素には同一参照符号を付して説明を省略する。
【００４２】
これによって、本実施の形態では、予め定められた判定対象のバンドごとに取得されたマルチバンド撮像画像から得られるバンドごとの平均信号値を閾値と比較して、削除対象であるかどうかを判定するとともに、その判定結果に応じて、予め設定された他の削除候補バンドの画像を削除するようにしたので、バンド選択部７の処理負荷を軽減し処理速度を向上することができる。また、削除対象の複数のバンドを適切に選定することによって、特定のバンドを削除することによる感度の偏りが生じることを防ぐことができる。
【００４３】
なお、削除候補の複数のバンドと判定対象のバンドの組み合わせは、複数設けても良い。その場合、判定対象の複数のバンドについて、図９のステップＳ３０４〜ステップＳ３０６の処理を順次繰り返して行い、全ての判定対象のバンドに対応してステップＳ３０６で除外されなかったバンドを選択されたバンドとする。
【００４４】
（第６実施の形態）
本発明の第６実施の形態に係るマルチバンド画像撮像装置は、第５実施の形態に係るバンド選択部におけるマルチバンド撮像画像に対して行った判定方法と同様の判定方法を、照明検出センサで取得された照明光スペクトルに対して適用したものである。このため、本実施の形態のマルチバンド画像撮像装置の構成は、図１に示した第１実施の形態に係るマルチバンド画像撮像装置１と同様である。また、バンド選択部７における処理を図１０のフローチャートで示す。
【００４５】
バンド選択部７では、照明検出センサ１１からの照明光スペクトルデータの入力を受けるとともに（ステップＳ４０１）、図視しない記憶部に格納されたカメラ感度を読み出し（ステップＳ４０２）、照明光スペクトルデータを、バンドごとのカメラ感度のデータを用いて補正して照明光信号値ｇｋ（ｋ＝１，．．．，Ｎ）を算出する（ステップＳ４０３）。その後、図示しない記憶部から、削除対象および判定対象のバンドの識別子を含む削除候補の判定用のデータが読み出される（ステップＳ４０４）。ここでは、第５実施の形態と同様に、削除対象のバンドは、ｋ１，ｋ２であり、これらのうち、判定対象のバンドはｋ１とする。バンド選択部７は、バンドｋ１を判定対象として（ステップＳ４０５）、バンドｋ１の照明光信号値ｇｋ１が予め定めた閾値より小さい場合（ステップＳ４０６）、判定対象のバンドｋ１に加え削除候補のバンドｋ２を選択するバンドから除外し（ステップＳ４０７）、残りのバンドを選択されたバンドとして出力する（ステップＳ４０８）。バンドｋ１の照明光信号値ｇｋ１が閾値よりも小さくない場合は、いずれのバンドｋ１およびｋ２も削除されることなく選択される。その他の構成および作用は、第１実施の形態と同様であるので、同一構成要素には同一参照符号を付して説明を省略する。
【００４６】
以上説明したように、本実施の形態では、照明検出センサ１０により取得される照明光スペクトルデータを利用しつつ、第５実施の形態と同様の効果を得ることができる。また、第５実施の形態と同様に、削除候補の複数のバンドと判定対象のバンドの組み合わせは、複数設けても良い。
【００４７】
（第７実施の形態）
図１１は、本発明の第７実施の形態に係るマルチバンド画像撮像装置の背面図であり、表示素子１０には、照明検出センサ１１による照明光スペクトルの測定モードを選択するための選択画面が表示されている。本実施の形態は、第１実施の形態において、照明検出センサ１１による照明光を測定するタイミングを、レリーズボタンの半押し時（すなわちＡＥ同期）以外にも選択できるようにしたものである。図に示すように、マルチバンド画像撮像装置１には、既に説明をした撮像素子１０、レリーズボタン４の他、ファインダ４１、点灯ランプ４２および照明測定ボタン４３が設けられている。
【００４８】
以下に図１２のフローチャートを用いて、本実施の形態のモード設定動作に応じたマルチバンド画像の撮像動作について説明する。
【００４９】
測定モードの選択画面は、使用者がマルチバンド画像撮像装置１のメニュー選択画面から選択するように構成される。表示素子９に表示される選択画面上には、「１．ＡＥ同期」、「２．レリーズ同期」、「３．測定ボタン」、「４．プリセット」の４つの選択肢が示される。使用者は、これらの選択枝から１つのモードを選択して設定する（ステップＳ５０１）。使用者がモードを設定すると、マルチバンド画像撮像装置１は、４つの選択肢に対応した各モードの処理を実行する（ステップＳ５０２）。
【００５０】
「１．ＡＥ同期」にモード設定された場合のマルチバンド画像撮像装置１の動作は、第１実施の形態において記載したものと同様である。すなわち、使用者によりレリーズボタンが半押しされる等することにより、マルチバンド画像撮像装置１はＡＥ動作を行う（ステップＳ５１１）。これと同時に、照明検出センサ１１が照明光スペクトルを検出し（ステップＳ５１２）、検出されたスペクトルデータに基づき、バンド選択部７で以降の画像処理に使用されるバンドが選択される。その後、レリーズボタンが押下されると（ステップＳ５１３）、撮像素子３によりマルチバンドの画像データが撮像され（ステップＳ５１４）、フレームメモリ６を経て、バンド選択部７で上記選択されたバンドの画像をマルチバンド画像記録部８に出力して記録する。
【００５１】
次に、「２．レリーズ同期」にモードが選択された場合は、ＡＥ動作（ステップＳ５２１）時には照明光スペクトルの検出は行わず、撮像時のレリーズの押下（ステップＳ５２２）に連動して、まず、照明検出センサ１０が照明光スペクトルを測定し（ステップＳ５２３）、続いてマルチバンド画像データの撮像（ステップＳ５２４）を行う。その他の動作は、ＡＥ同期の場合と同様である。
【００５２】
また、「３．測定ボタン」にモードが選択された場合は、照明測定ボタン４３が有効となり（ステップＳ５３１）、使用者によってこのボタンが操作されると（ステップＳ５３２）、照明検出センサ１０が照明光スペクトルの測定を行う。その後、ＡＥ動作（ステップＳ５３４）時には照明光スペクトルの測定は行わず、使用者によるレリーズボタンの押下によりマルチバンド画像データの撮像（ステップＳ５３４）を行う。その他の動作は、ＡＥ同期の場合と同様である。このモードは、ワンタッチホワイトバランスのように、事前に照明光スペクトルを測定して保存しておき、そのデータを毎回使用し、撮像ごとやＡＥごとに測定はしない。例えば、日向にある被写体を日陰から撮像しなければならない場合などに、一旦日向で照明光スペクトルを測定した後、所望の日陰の撮像場所から被写体を撮像する場合などに特に有効なモードである。
【００５３】
さらに、「４．プリセット」にモード選択された場合は、予め日照条件等に応じて定められたプリセットデータを照明光スペクトルデータとして設定する（ステップＳ５４１）。以下のＡＥ動作（ステップＳ５４２）、レリーズ動作（ステップ５４３）および撮像（ステップＳ５４４）は、「３．測定ボタン」を選択した場合と同様である。また、測定ボタン４３を有効にして、そのボタンが押されたときに照明検出センサ１１により測定を行い、その測定結果のデータを記憶し、プリセットデータとして使用できるようにすることもできる。
【００５４】
上述のモード設定としては、通常は例えば「１．ＡＥ同期」をデフォルト値としておき、たとえばマニュアルでＦ値と露光時間とを設定するときなど、ＡＥ動作を行わないモードのときは、たとえば「２．レリーズ同期」をデフォルト値を設定するなどしてもよい。また、表示素子１０には、どのモードに設定されているかを表示させてもよい。さらに、照明光スペクトルを測定する際に、測定していること知らせるために、表示素子１０上に測定中を知らせる表示をし、または、点灯ランプ４２を点灯や点滅させても良い。
【００５５】
なお、本実施の形態では、図１４で示したモード選択手段を第１実施の形態に適用するものとしたが、第２および第６実施の形態にも同様に適用することができる。また、照明検出部１０を使用しない第３実施の形態においても、照明光推定部３１による照明光スペクトルの推定のタイミングおよび方法を、上記各モードにより選択するものとすることにより、第４実施の形態にも適用することができる。
【００５６】
なお、本発明は、上記実施の形態にのみ限定されるものではなく、幾多の変形または変更が可能である。例えば、各実施の形態において、マルチバンド画像撮像装置は画像再生部と表示素子とを含んで構成されるが、これらをマルチバンド画像撮像装置には含めず、別体の装置で実現しても良い。また、第４実施の形態及び第５実施の形態では、ＡＥ動作時にバンド選択を行い、レリーズ操作時に選択されたバンドのマルチバンド画像を撮像するものとしたが、レリーズ操作時に撮像した同一のマルチバンド画像を用いて、バンド選択と選択されたマルチバンド画像の撮像を行うようにしても良い。
【符号の説明】
【００５７】
１    マルチバンド画像撮像装置
２    撮影レンズ
３    撮像素子
４    レリーズボタン
５    撮像制御部
６    フレームメモリ
７    バンド選択部
８    マルチバンド画像記録部
９    画像再生部
１０    表示素子
１１    照明検出センサ
２１    色変換プロファイル算出部
２２    色変調部
３１    照明光推定部
４１    ファインダ
４２    点灯ランプ
４３    照明測定ボタン
【図１】
2010276442.tif 000003
【図２】
2010276442.tif 000004
【図３】
2010276442.tif 000005
【図４】
2010276442.tif 000006
【図５】
2010276442.tif 000007
【図６】
2010276442.tif 000008
【図７】
2010276442.tif 000009
【図８】
2010276442.tif 000010
【図９】
2010276442.tif 000011
【図１０】
2010276442.tif 000012
【図１１】
2010276442.tif 000013
【図１２】
2010276442.tif 000014